(57)【要約】【課題】  製作に手間が掛からず、風切り音が発生し難いようにする。【解決手段】  複数のルーバ片１を間隔をあけて並設してあるルーバにおいて、４枚以下のルーバ片１を並設したルーバ小群３を設け、隣接するルーバ小群３どうしの間隔寸法である第一間隔寸法Ｐ１は、ルーバ小群３内でのルーバ片１どうしの間隔寸法である第二間隔寸法Ｐ２より広く設定してある。【選択図】        図２
2007077608.tif 000002
【特許請求の範囲】
【請求項１】
複数のルーバ片を間隔をあけて並設してあるルーバであって、
４枚以下の前記ルーバ片を並設したルーバ小群を設け、隣接するルーバ小群どうしの間隔寸法である第一間隔寸法は、前記ルーバ小群内でのルーバ片どうしの間隔寸法である第二間隔寸法より広く設定してあるルーバ。
【請求項２】
前記第一間隔寸法は、前記第二間隔寸法の整数倍に設定してある請求項１に記載のルーバ。
【請求項３】
前記ルーバ片は、ルーバ片の並設方向に対して傾斜姿勢に配置してある請求項１又は２に記載のルーバ。
【請求項４】
前記第二間隔寸法は、１００ｍｍに設定してある請求項３に記載のルーバ。
【請求項５】
前記ルーバ片は、ルーバ片の並設方向に対して直交姿勢又はほぼ直交姿勢に配置してある請求項１又は２に記載のルーバ。
【請求項６】
前記第二間隔寸法は、５０ｍｍに設定してある請求項５に記載のルーバ。
【請求項７】
前記ルーバ裏面側空間の内、少なくとも隣接する前記ルーバ小群どうしの間隔部に相当する部分に、ルーバ表面側からの視線を遮る目隠し部材が設けてある請求項１〜６の何れか一項に記載のルーバ。
【発明の詳細な説明】
【技術分野】
【０００１】
本発明は、例えば、建物の外装や、設備機器等の目隠しとして用いることが可能なルーバに関し、更に詳しくは、複数のルーバ片を間隔をあけて並設してあるルーバに関する。
【背景技術】
【０００２】
従来、この種のルーバとしては、図９に示すように、帯板状の多数のルーバ片１を、等間隔に並設したものがあった（例えば、特許文献１〜４参照）
【０００３】
【特許文献１】特開２００４−８４９９１号公報（図１，図５，図１０，図１１）
【特許文献２】特開平１１−３２４５２０号公報
【特許文献３】特開平７−２３８６４９号公報
【特許文献４】特開２００１−１７３３２６号公報
【発明の開示】
【発明が解決しようとする課題】
【０００４】
上述した従来のルーバによれば、ルーバ表面に風が当たると、その方向や強さ等によっては、激しい風切り音が発生することがあり、騒音発生の問題があった。
これは、図９に示すように、ルーバ片１の鋭いエッジに風が当たることで、隣接するルーバ片１どうしの間に渦流が発生し、その振動が共鳴によって増幅されることが原因で生じることが多い。そして、従来から、ルーバ片の形状を工夫することで風切り音の発生を抑制する試みが実施されているが、何れにしても、高い製作精度が要求され、製作手間が掛かると言った問題点があった。
【０００５】
従って、本発明の目的は、上記問題点を解消し、製作に手間が掛からず、風切り音が発生し難いルーバを提供するところにある。
【課題を解決するための手段】
【０００６】
本発明の第１の特徴構成は、複数のルーバ片を間隔をあけて並設してあるルーバにおいて、４枚以下の前記ルーバ片を並設したルーバ小群を設け、隣接するルーバ小群どうしの間隔寸法である第一間隔寸法は、前記ルーバ小群内でのルーバ片どうしの間隔寸法である第二間隔寸法より広く設定してあるところにある。
【０００７】
本発明の第１の特徴構成によれば、最大でも４枚のルーバ片ごとに、ルーバ片どうしの間隔寸法が広く設定されており、各ルーバ片間の空間（以後、単に「ルーバ空間」という）が、最大でも隣接する四ヶ所の内の一ヶ所は、他の三ヶ所より空間容量が大きくなるから、何れかのルーバ空間で空気振動が発生しても、隣接するルーバ空間どうしが同調し難くなる。その結果、従来のように、各ルーバ空間にわたって空気振動が共鳴することで増幅されて大きな風切り音が発生すると言ったことが生じ難くなる。
また、前記ルーバ片どうしの間隔寸法を上述のように設定するだけの簡単な構成を採用しているだけであるから、製作上の特別の手間が掛かることもなく、簡単に製作することが可能となる。
【０００８】
本発明の第２の特徴構成は、前記第一間隔寸法は、前記第二間隔寸法の整数倍に設定してあるところにある。
【０００９】
本発明の第２の特徴構成によれば、本発明の第１の特徴構成による上述の作用効果を叶えることができるのに加えて、等間隔にルーバ片が設けられている従来のルーバのパーツをそのまま利用しながら、一部のルーバ片を取り外すだけで形成することができ、極めて、容易に形成することが可能となる。
また、第二間隔寸法が最小単位となったピッチで、各ルーバ片が取り付けられているから、ルーバの外観が整然とし、意匠性の低下を抑制することが可能となる。
【００１０】
本発明の第３の特徴構成は、前記ルーバ片は、ルーバ片の並設方向に対して傾斜姿勢に配置してあるところにある。
【００１１】
本発明の第３の特徴構成によれば、本発明の第１又は２の特徴構成による上述の作用効果を叶えることができるのに加えて、ルーバ片の傾斜方向に交差する方向からの視線や風を、ルーバ片によって遮ることが可能となる。
従って、視線を遮ることができるようになり、ルーバの背面側を目隠しすることができ、意匠性の向上を図ることが可能となる。更には、通常の風向が決まっている場所に当該ルーバを設置するような場合には、その風向をルーバ片で遮る方向に設定することで、ルーバ片が風を切り難くなり、風切り音の発生を抑制することが可能となる。
【００１２】
本発明の第４の特徴構成は、前記第二間隔寸法は、１００ｍｍに設定してあるところにある。
【００１３】
本発明の第４の特徴構成によれば、本発明の第１〜３の何れかの特徴構成による上述の作用効果を叶えることができるのに加えて、傾斜したルーバにおいては、第二間隔寸法を１００ｍｍの寸法にすることにより、風切り音が生じ難くなることが確認されている。
【００１４】
本発明の第５の特徴構成は、前記ルーバ片は、ルーバ片の並設方向に対して直交姿勢又はほぼ直交姿勢に配置してあるところにある。
【００１５】
本発明の第５の特徴構成によれば、本発明の第１又は２の特徴構成による上述の作用効果を叶えることができるのに加えて、正面からの視線に対しては、ルーバ片が沿った姿勢になっており、見通しが良好でありながら、正面からずれた視点からはルーバ片が目隠しとなる。従って、視界を遮らずに、例えば、太陽光を遮る庇等の役割を担うことができる。
【００１６】
本発明の第６の特徴構成は、前記第二間隔寸法は、５０ｍｍに設定してあるところにある。
【００１７】
本発明の第６の特徴構成によれば、本発明の第１、２、５の何れかの特徴構成による上述の作用効果を叶えることができるのに加えて、上述の直交姿勢のルーバにおいては、第二間隔寸法を５０ｍｍの寸法にすることにより、風切り音が生じ難くなることが確認されている。
【００１８】
本発明の第７の特徴構成は、前記ルーバ裏面側空間の内、少なくとも隣接する前記ルーバ小群どうしの間隔部に相当する部分に、ルーバ表面側からの視線を遮る目隠し部材が設けてあるところにある。
【００１９】
本発明の第７の特徴構成によれば、本発明の第１〜６の何れかの特徴構成による上述の作用効果を叶えることができるのに加えて、ルーバ片どうしの間隔より広いルーバ小群どうしの間隔が、前記目隠し部材を配置することによって詰まって見え、意匠性の低下を緩和することができると共に、ルーバ本来の目隠し効果を、全体にバラツキ少なく発揮できるようになる。
また、目隠し部材は、ルーバ裏面側空間の内、隣接するルーバ小群どうしの間隔部に相当する部分にのみ設けることに限らず、例えば、ルーバ裏面側空間の他の部分を含めた広い範囲にわたって設けるものであってもよく、その場合は、目隠し部材が、各ルーバ片間の空気の流れに対する抵抗となり、騒音の元となる乱流が発生するのを抑制でき、より騒音発生防止効果を向上させることができる。
【発明を実施するための最良の形態】
【００２０】
以下に本発明の実施の形態を図面に基づいて説明する。尚、図面において従来例と同一の符号で表示した部分は、同一又は相当の部分を示している。
【００２１】
〔第１実施形態〕
図１、図２は、本発明のルーバの一例を示すもので、ルーバＲ１は、複数のルーバ片１を縦配置で、横に間隔をあけて並設して構成してある。
前記ルーバ片１は、例えば、アルミニウム等の金属製板で構成してあり、下地フレーム２に対して例えばビス止め等の手段によって固着されている。
当該実施形態においては、前記ルーバ片１は、厚み５ｍｍ、幅５０ｍｍ、長さ１６００ｍｍの寸法のものを使用しており、図２に示すように、ルーバ片１の並設方向に対して４５度の角度で傾斜する姿勢に設置されている。
そして、各ルーバ片１は、１００ｍｍを基準のピッチとして並設配置してある。
更に詳しくは、４枚のルーバ片１で構成されるルーバ小群３のそれぞれを、２００ｍｍの間隔をあけて並設してある。
ここで、ルーバ小群３どうしの間隔寸法を第一間隔寸法Ｐ１と言い、Ｐ１＝２００ｍｍに設定してある。
また、各ルーバ小群３におけるルーバ片１どうしの間隔寸法を第二間隔寸法Ｐ２と言い、Ｐ２＝１００ｍｍに設定してある。
即ち、第一間隔寸法Ｐ１は、第二間隔寸法Ｐ２の２倍に設定されている。
【００２２】
本実施形態のルーバによれば、ルーバＲ１に対して風があたった際に、風切り音が生じ難い。
【実施例１】
【００２３】
当該実施形態のルーバＲ１の作用効果を裏付ける実験結果を図３に示す。
但し、実験は、図に示すように、ルーバ片１の並設方向に対して１３０度傾斜した風向で実施され、風速に関しては、１０ｍ／ｓ、１２ｍ／ｓ、１４ｍ／ｓ、１６ｍ／ｓの４種類について実施した。そして、ルーバ小群３として、ルーバ片１の枚数を、２〜９枚まで一枚ずつ変化させた夫々について風切り音の発生の有無を観察した。図中の○は、風切り音の発生が無かったことを示し、×は、風切り音の発生が有ったことを示している。
この実験結果に見られるように、全ての風速について風切り音が観測されなかったのは、ルーバ小群３が４枚以下のルーバ片１で構成された場合に限られた。
【００２４】
〔第２実施形態〕
図４は、本発明のルーバの二つ目の例を示すもので、ルーバＲ２は、複数のルーバ片１を縦配置で、横に間隔をあけて並設して構成してある。そして、先の実施形態と重複する構成に関しては、説明を割愛し、異なる構成を主として説明する。
当該実施形態においては、前記ルーバ片１は、図４に示すように、ルーバ片１の並設方向に対して直交姿勢又はほぼ直交姿勢に配置してある。
そして、各ルーバ片１は、５０ｍｍを基準のピッチとして並設配置してある。
更に詳しくは、４枚のルーバ片１で構成されるルーバ小群３のそれぞれを、１００ｍｍの間隔をあけて並設してある。
ここで、ルーバ小群３どうしの間隔寸法を第一間隔寸法Ｐ１と言い、Ｐ１＝１００ｍｍに設定してある。
また、各ルーバ小群３におけるルーバ片１どうしの間隔寸法を第二間隔寸法Ｐ２と言い、Ｐ２＝５０ｍｍに設定してある。
即ち、第一間隔寸法Ｐ１は、第二間隔寸法Ｐ２の２倍に設定されている。
【００２５】
本実施形態のルーバによれば、ルーバＲ２に対して風があたった際に、風切り音が生じ難い。
【実施例２】
【００２６】
当該実施形態のルーバＲ２の作用効果を裏付ける実験結果を図５に示す。
但し、実験は、図に示すように、ルーバ片１の並設方向に対して１６０度傾斜した風向で実施され、風速に関しては、１４ｍ／ｓについて実施した。そして、ルーバ小群３として、ルーバ片１の枚数を、２〜７枚まで一枚ずつ変化させた夫々について風切り音の発生の有無を観察した。図中の○は、風切り音の発生が無かったことを示し、×は、風切り音の発生が有ったことを示している。
この実験結果に見られるように、風切り音が観測されなかったのは、ルーバ小群３が４枚以下のルーバ片１で構成された場合に限られた。
【００２７】
〔別実施形態〕
以下に他の実施の形態を説明する。
【００２８】
〈１〉  ルーバ片１は、先の実施形態で説明した形状や寸法や材質のものに限るものではなく、適宜、変更することが可能である。また、ルーバ片１の設置姿勢は、縦配置に限らず、横配置であったり、斜め配置であってもよい。
〈２〉  ルーバ小群を構成するルーバ片の枚数は、４枚に限らず、２枚や３枚であってもよい。また、その間隔寸法は、前記第一間隔寸法Ｐ１、第二間隔寸法Ｐ２共に、先の実施形態で説明した値に限るものではない。要するに、第一間隔寸法Ｐ１が、第二間隔寸法Ｐ２より大きければよい。
〈３〉  ルーバ片は、並設方向に対して傾斜する状態に設けられる場合、その傾斜角度は、先の実施形態で説明した４５度や９０度に限るものではなく、適宜変更が可能である。
〈４〉  ルーバ片の下地フレーム２への取り付けは、先の実施形態で説明したようにビスによって固着する形式に限るものではなく、例えば、着脱自在な取付構造にしておけば、風の当たり方に対して、もっとも風切り音が発生し難いルーバ配置に構成することが可能となる。
〈５〉  前記ルーバの裏面側空間に、図６〜８に示すように、ルーバ表面側からの視線を遮る目隠し部材４を設けてあってもよく、そうすることによって、各ルーバ片１どうしの間隔が一定でなくても、目隠し効果を向上させることができる。
図６の実施形態は、ルーバ裏面側空間におけるルーバ小群３どうしの間隔部に相当する部分に、ルーバ片で構成した目隠し部材４が設けてある。他の部分に用いられているルーバ片１と同様の形状で目隠し部材４が構成されているから、目立ち難く、あたかも等間隔にルーバ片１が設けられているように見え、違和感の少ない意匠性を確保することができる。
図７の実施形態は、目隠し部材４が下地フレーム２を兼用化している。従って、余分な部品を使用せずに、風切り音の抑制効果と、良好な意匠性の維持効果とを共に叶えることが可能となっている。
図８の実施形態は、パンチングメタルで構成された目隠し部材４が、ルーバ裏面側空間の広い範囲にわたって設けられている。この実施形態によれば、前記目隠し部材４による目隠し効果が、ルーバの広い範囲で向上すると共に、各ルーバ片間の空間におけるルーバ表裏につながる風路での通風抵抗が増加することで、風切り音の原因になり易い乱流が発生し難くなり、風切り音の防止効果がより向上する。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３０】
【図１】第一実施形態のルーバを示す斜視図
【図２】第一実施形態のルーバを示す平面図
【図３】第一実施形態のルーバに対する実験結果を示す説明図
【図４】第二実施形態のルーバを示す平面図
【図５】第二実施形態のルーバに対する実験結果を示す説明図
【図６】別実施形態のルーバを示す平面図
【図７】別実施形態のルーバを示す平面図
【図８】別実施形態のルーバを示す平面図
【図９】従来のルーバを示す平面図
【符号の説明】
【００３１】
１      ルーバ片
３      ルーバ小群
４      目隠し部材
Ｐ１    第一間隔寸法
Ｐ２    第二間隔寸法
【図１】
2007077608.tif 000003
【図２】
2007077608.tif 000004
【図３】
2007077608.tif 000005
【図４】
2007077608.tif 000006
【図５】
2007077608.tif 000007
【図６】
2007077608.tif 000008
【図７】
2007077608.tif 000009
【図８】
2007077608.tif 000010
【図９】
2007077608.tif 000011